(57)【要約】【課題】簡単な構造で手摺のぐらつきを抑制する。【解決手段】手摺の取付構造Ｓは、手摺付き梯子１において、梯子１０の少なくとも一方の支柱８に取付固定される構造である。支柱８には、受け部１３が設けられている一方、手摺り２０には、受け部１３に手摺２０の全部を貫通する手摺固定ネジ７により固定される下固定部２１及び上固定部２５がそれぞれ設けられている。この受け部１３に、下固定部２１及び上固定部２５がそれぞれ取付固定されることにより、手摺２０が支柱８に取り付けられている。【選択図】図６
2020143425.tif 000002
【特許請求の範囲】
【請求項１】
梯子の少なくとも一方の支柱に取り付けられる手摺の取付構造であって、
前記支柱には、受け部が設けられている一方、
前記手摺りには、前記受け部に前記手摺の全部を貫通する手摺固定部材により固定される固定部が設けられており、
前記支柱の受け部に、前記手摺の固定部が取付固定されることにより、該手摺が該支柱に取り付けられていることを特徴とする手摺の取付構造。
【請求項２】
請求項１において、
前記手摺固定部材は、手摺固定ネジ部材であり、
前記手摺の固定部には、該固定部の全部を貫通し、且つ前記手摺固定ネジ部材が貫通可能な少なくとも１つの貫通孔が形成され、
前記支柱の受け部には、前記手摺固定ネジ部材と螺合可能なネジ孔が形成されており、
前記受け部のネジ孔に、前記固定部の貫通孔に挿通された前記手摺固定ネジ部材が螺合固定されることにより、前記手摺が前記支柱に取り付けられていることを特徴とする手摺の取付構造。
【請求項３】
請求項１又は２において、
前記支柱の受け部には、該受け部に取付固定された前記手摺の固定部を覆う蓋部材が取り外し可能に固定されていることを特徴とする手摺の取付構造。
【請求項４】
請求項３において、
前記支柱の受け部は、該支柱に固定された手摺受け部材を有し、
前記手摺受け部材には、前記手摺の固定部の外周面部に対応するように該固定部に沿って延びる受け凹部が設けられている一方、
前記蓋部材には、前記手摺受け部材の受け凹部との間に前記手摺の固定部が挟み込まれて挟持されるように構成された蓋凹部が設けられ、
前記手摺の固定部には、該固定部の全部を貫通し、且つ蓋固定ネジ部材が貫通可能な少なくとも１つの貫通孔が形成され、
前記手摺受け部材には、前記蓋固定ネジ部材が貫通可能な少なくとも１つの貫通孔が形成され、
前記蓋部材には、前記蓋固定ネジ部材と螺合可能なネジ孔が形成されており、
前記蓋部材のネジ孔に、前記固定部の貫通孔及び前記手摺受け部材の貫通孔に挿通された前記蓋固定ネジ部材が螺合固定されることにより、前記蓋部材が前記手摺受け部材に固定されていることを特徴とする手摺の取付構造。
【請求項５】
請求項１〜４の何れか１つにおいて、
前記手摺の固定部は、該手摺の両端に設けられていることを特徴とする手摺の取付構造。
【請求項６】
請求項５において、
前記手摺の一方の端部に設けられた前記固定部の各貫通孔は、該固定部に沿って延びる長孔であることを特徴とする手摺の取付構造。
【請求項７】
請求項１〜６の何れか１つに記載の手摺の取付構造を有することを特徴とする手摺付き梯子。
【発明の詳細な説明】
【技術分野】
【０００１】
本発明は、手摺の取付構造及び手摺付き梯子に関する。
【背景技術】
【０００２】
梯子の支柱に手摺を取り付ける構造として、例えば、特許文献１には、支柱に固定された固定部材の挟持面と挟持部材の挟持面とによって手摺が挟持され、固定部材及び挟持部材に対して、手摺を貫通する孔に挿通された締結部材から締結力が付与されるようにした手摺の取付構造が開示されている。
【先行技術文献】
【特許文献】
【０００３】
【特許文献１】特許第４３１６３１０号公報
【発明の概要】
【発明が解決しようとする課題】
【０００４】
特許文献１に記載の手摺の取付構造では、固定部材と挟持部材とに締結力を付与する締結部材が手摺を貫通する孔に挿通されているため、大きな力がかかった場合、固定部材の挟持面と挟持部材の挟持面との間で手摺がぐらつくおそれがあり、改善の余地がある。
【０００５】
本発明は、かかる点に鑑みてなされたものであり、その目的とするところは、手摺の取付構造に工夫を加えることにより、簡単な構造で手摺のぐらつきを抑制することにある。
【課題を解決するための手段】
【０００６】
上記の目的を達成するために、本発明では、梯子の支柱に手摺が取付固定されるようにした。
【０００７】
具体的には、第１の発明は、梯子の少なくとも一方の支柱に取り付けられる手摺の取付構造であって、前記支柱には、受け部が設けられている一方、前記手摺りには、前記受け部に前記手摺の全部を貫通する手摺固定部材により固定される固定部が設けられている。そして、前記支柱の受け部に、前記手摺の固定部が取付固定されることにより、該手摺が該支柱に取り付けられていることを特徴とする。
【０００８】
第１の発明では、支柱の受け部に手摺の固定部が取付固定されることにより、手摺が梯子の支柱に取り付けられているため、手摺のぐらつきが低減される。また、受け部と固定部とは、手摺の全部を貫通する手摺固定部材により、固定されているため、手摺の取付構造が簡単である。従って、簡単な構造で手摺のぐらつきを抑制することができる。
【０００９】
第２の発明は、第１の発明において、前記手摺固定部材は、手摺固定ネジ部材である。また、前記手摺の固定部には、該固定部の全部を貫通し、且つ前記手摺固定ネジ部材が貫通可能な少なくとも１つの貫通孔が形成され、前記支柱の受け部には、前記手摺固定ネジ部材と螺合可能なネジ孔が形成されている。そして、前記受け部のネジ孔に、前記固定部の貫通孔に挿通された前記手摺固定ネジ部材が螺合固定されることにより、前記手摺が前記支柱に取り付けられていることを特徴とする。
【００１０】
第２の発明では、受け部のネジ孔に、固定部の全部を貫通するように固定部の貫通孔に挿通された手摺固定ネジ部材が螺合固定されているため、受け部と固定部との固定がより一層確実となり、手摺のぐらつきがより一層低減される。
【００１１】
第３の発明は、第１又は第２の発明において、前記支柱の受け部には、該受け部に取付固定された前記手摺の固定部を覆う蓋部材が取り外し可能に固定されていることを特徴とする。
【００１２】
第３の発明では、受け部に取付固定された固定部を覆う蓋部材が、受け部に対して取り外し可能に固定されているため、該固定部と共に、それを固定する手摺固定部材又は手摺固定ネジ部材を蓋部材の中に収容することができる。これにより、意匠性のみならず、手摺付き梯子に要求される安全性の向上を図ることができる。
【００１３】
第４の発明は、第３の発明において、前記支柱の受け部は、該支柱に固定された手摺受け部材を有する。また、前記手摺受け部材には、前記手摺の固定部の外周面部に対応するように該固定部に沿って延びる受け凹部が設けられている一方、前記蓋部材には、前記手摺受け部材の受け凹部との間に前記手摺の固定部が挟み込まれて挟持されるように構成された蓋凹部が設けられている。さらに、前記手摺の固定部には、該固定部の全部を貫通し、且つ蓋固定ネジ部材が貫通可能な少なくとも１つの貫通孔が形成され、前記手摺受け部材には、前記蓋固定ネジ部材が貫通可能な少なくとも１つの貫通孔が形成され、前記蓋部材には、前記蓋固定ネジ部材と螺合可能なネジ孔が形成されている。そして、前記蓋部材のネジ孔に、前記固定部の貫通孔及び前記手摺受け部材の貫通孔に挿通された前記蓋固定ネジ部材が螺合固定されることにより、前記蓋部材が前記手摺受け部材に固定されていることを特徴とする。
【００１４】
第４の発明では、受け部として支柱に固定された手摺受け部材を有し、この手摺受け部材の受け凹部と蓋部材の蓋凹部との間に手摺の固定部が挟み込まれて挟持されるように構成されているため、受け凹部及び蓋凹部と、固定部との接触面積を確保することができる。これにより、固定部近傍に過大な力が作用した場合であっても、この力を接触面全体に分散させることができるため、固定部の破損を防止することができ、手摺付き梯子に要求される安全性の向上をより一層図ることができる。
【００１５】
また、蓋部材のネジ孔に、固定部の全部を貫通するように固定部の貫通孔及び手摺受け部材の貫通孔に挿通された蓋固定ネジ部材が螺合固定されることにより、蓋部材が手摺受け部材に固定されている。これにより、固定部の貫通孔には、固定部の全部を貫通するように、支柱の対向方向に手摺固定ネジ部材（手摺固定部材）が挿通される一方、該対向方向とは反対の方向に蓋固定ネジ部材が挿通されているため、手摺の周方向の回転が抑制され、手摺のぐらつきがさらに低減される。
【００１６】
第５の発明は、第１〜第４の発明の何れか１つにおいて、前記手摺の固定部は、該手摺の両端に設けられていることを特徴とする。
【００１７】
第５の発明では、固定部が手摺の両端に設けられているため、手摺付き梯子に要求される安全性の向上をさらに図ることができる。
【００１８】
第６の発明は、第５の発明において、前記手摺の一方の端部に設けられた前記固定部の各貫通孔は、該固定部に沿って延びる長孔であることを特徴とする。
【００１９】
第６の発明では、手摺が変形した場合であっても、固定部の一方に設けられた長孔からなる各貫通孔で位置調整しながら、該各貫通孔と、支柱、手摺受け部材（支柱の受け部）及び蓋部材の各貫通孔又は各ネジ孔とを容易に連通させることができる。これにより、上記各孔どうしの位置合わせが容易になるため、支柱に手摺を取付ける作業性の向上を図ることができる。
【００２０】
第７の発明は、手摺付き梯子に係り、第１〜第６の発明の何れか１つに記載の手摺の取付構造を有することを特徴とする。
【００２１】
第７の発明では、第１〜第６の発明の作用効果を奏する手摺付き梯子を得ることができる。
【発明の効果】
【００２２】
以上に説明したように、本発明によれば、簡単な構造で手摺のぐらつきを抑制することができる。
【図面の簡単な説明】
【００２３】
【図１】図１は、本発明の実施形態１に係る手摺付き梯子を示す斜視図である。
【図２】図２は、手摺を示す平面図である。
【図３】図３は、本発明の実施形態１に係る手摺の取付構造を示す第１の斜視図である。
【図４】図４は、手摺の取付構造を示す第２の斜視図である。
【図５】図５は、手摺の取付構造を示す側面図である。
【図６】図６は、手摺の取付構造を示す図５のVI−VI線断面図である。
【発明を実施するための形態】
【００２４】
以下、本発明を実施するための形態を図面に基づいて説明する。以下の好ましい実施形態の説明は、本質的に例示に過ぎず、本発明、その適用物或いはその用途を制限することを意図するものではない。
【００２５】
＜実施形態１＞
（手摺付き梯子）
図１は、本実施形態に係る手摺付き梯子１を示す。この手摺付き梯子１は、例えば、収納所や寝台として利用されるロフトＬを有する建物の室内において、そのロフトＬへの昇降を可能にするためのロフト梯子として使用されるものである。
【００２６】
手摺付き梯子１は、図１に示すように、梯子（以下「梯子本体」ともいう）１０と、左右一対の手摺２０，２０と、手摺受け部材３０，３０，…と、蓋部材４０，４０，…とを備えている。
【００２７】
また、手摺付き梯子１には、梯子本体１０の上部にフック部材３，３，…と、梯子本体１０（後述する支柱８，８）の底部に滑り止め部材４，４とが設けられている。なお、フック部材３，３，…は、壁面Ｗに予め取り付けられている壁取付パイプＰに掛けて、手摺付き梯子１を着脱するためのものである。
【００２８】
梯子本体１０は、左右一対の支柱８，８と、支柱８，８の長さ方向に沿って所定間隔で複数段に配置され、支柱８，８間に連結された踏板９，９，…と備えている。各支柱８及び各踏板９は、例えば、アルミニウム等の高剛性材料により、それぞれ形成されている。
【００２９】
支柱８，８は、図５及び図６に示すように、互いに対向する対向面部１１，１１と、対向面部１１，１１の各一辺を連結する側面部１２とからなる略コ字状の断面を有する棒状に形成されている。そして、これら２つの対向面部１１，１１と、側面部１２とにより、受け部１３が構成されている。
【００３０】
対向面部１１は、支柱８の剛性を高めるために略半円状の断面を有する筒状に形成されている。
【００３１】
側面部１２（受け部１３の底部）には、受け固定部材５が貫通可能な１つの貫通孔１４（図５及び図６参照）と、この貫通孔１４を挟むように貫通孔１４の上下両端に蓋固定ネジ６（蓋固定ネジ部材）が貫通可能な２つの貫通孔１５，１５（図５参照）とがそれぞれ形成されている。なお、貫通孔１４，１５，１５は、いずれも円形（円孔）に形成されている。また、側面部１２には、踏板９，９，…を取り付けるためのネジが貫通可能な貫通孔（図示省略）が形成されている。
【００３２】
受け部１３は、支柱８に手摺２０を固定するために、その手摺２０を受ける部分である。ここで、本実施形態では、図５及び図６に示すように、受け部１３に手摺受け部材３０が嵌合されて固定されている。換言すると、この受け部１３は、手摺受け部材３０を有している。
【００３３】
踏板９は、人が昇降する際に足や手が掛けられる部分であり、例えば、中空板状に形成されている。なお、踏板９の表面又は側面には、必要に応じて、注意を喚起するための蛍光材や光反射材等（図示省略）が取り付けられてもよい。
【００３４】
手摺２０は、人が昇降する際に手が掛けられる部分であり、図１、図３及び図４に示すように、支柱８の上部に取り付けられている。この手摺２０は、例えば、ＳＰＣＣ等の冷間圧延鋼板が略円形の断面を有するパイプ状に加工された部材を略Ｕ字状に曲げることにより形成されている。また、手摺２０は、その両端において、支柱８の側面に沿うように一直線上に同一方向に配置されると共に、支柱８の受け部１３に固定される、下固定部２１と、上固定部２５とが設けられている。
【００３５】
下固定部２１は、手摺２０の下端に設けられている。この下固定部２１には、図２、図５及び図６に示すように、手摺固定ネジ７（手摺固定ネジ部材）が貫通可能な１つの貫通孔２２と、蓋固定ネジ６が貫通可能な２つの貫通孔２３，２３とがそれぞれ形成されている。貫通孔２３，２３は、貫通孔２２を挟むように、貫通孔２２の上下両端（下固定部２１の軸方向両端）における支柱８の貫通孔１５，１５に対応する位置に形成されている。これら各貫通孔２２，２３，２３は、いずれも下固定部２１（手摺２０）の直径方向に下固定部２１の全部を貫通する一対の円孔に形成されている。
【００３６】
一方、上固定部２５は、手摺２０の上端に設けられている。この上固定部２５には、手摺固定ネジ７が貫通可能な１つの貫通孔２６と、蓋固定ネジ６が貫通可能な２つの貫通孔２７，２７とがそれぞれ形成されている。貫通孔２７，２７は、貫通孔２６を挟むように、貫通孔２６の上下両端における支柱８の貫通孔１５，１５に対応する位置に形成されている。これら各貫通孔２６，２７，２７は、いずれも上固定部２５の直径方向に上固定部２５の全部を貫通し、且つ上固定部２５の軸方向に沿って延びる一対の長円形（長孔）に形成されている。
【００３７】
手摺受け部材３０は、支柱８の受け部１３を構成し、図３に示すように、支柱８に、下固定部２１及び上固定部２５（以下「固定部２１，２５」ともいう）を取付固定するためのものである。この手摺受け部材３０は、受け固定部材５により支柱８の受け部１３に固定される。なお、受け固定部材５は、例えば、ネジ、リベット等が挙げられる。
【００３８】
また、手摺受け部材３０は、図５及び図６に示すように、略矩形状の断面を有する中空板状に形成されている。この手摺受け部材３０には、支柱８の側面部１２に沿う平坦面３２を有する嵌合凸部３１と、平坦面３２と対向する面に受け凹部３３とが設けられている。
【００３９】
嵌合凸部３１は、支柱８の受け部１３に嵌合可能に形成されている。この嵌合凸部３１の平坦面３２には、受け固定部材５により受け部１３に手摺受け部材３０を固定するための１つの有底状の固定孔３５と、蓋固定ネジ６が貫通可能な２つの貫通孔３６，３６とがそれぞれ形成されている。固定孔３５は、後述するネジ孔３７の底部まで延びている。貫通孔３６は、固定孔３５を挟むように固定孔３５の上下両端における支柱８の貫通孔１５，１５に対応する位置に、手摺受け部材３０の幅方向（図５及び図６では左右水平方向）の全長に亘って（手摺受け部材３０の全部を貫通するように）形成されている。これら固定孔３５及び貫通孔３６，３６は、いずれも、円孔に形成されている。
【００４０】
受け凹部３３は、固定部２１，２５の外周面部に沿うように形成されている。換言すると、受け凹部３３は、蓋部材４０（後述する蓋凹部４１）と共に固定部２１，２５を挟持する挟持面３４を構成するものである。この受け凹部３３は、手摺受け部材３０の高さ方向の全長に亘って（固定部２１，２５に沿って延びるように）設けられている。なお、手摺受け部材３０の高さ（図５では上下方向）寸法は、特に限定されず、固定部２１，２５の軸方向の寸法に応じて決定すればよい。
【００４１】
また、受け凹部３３の底部には、固定部２１，２５の貫通孔２２，２６にそれぞれ対応する位置に、手摺固定ネジ７と螺合可能な１つの有底状のネジ孔３７が形成されている。
【００４２】
蓋部材４０は、手摺受け部材３０に取付固定された手摺２０の固定部２１，２５を覆うものであり、換言すると、手摺受け部材のカバー部材である。そのため、蓋部材４０の高さ寸法は、図５に示すように、手摺受け部材３０の高さ寸法とほぼ同一になっている。
【００４３】
また、蓋部材４０は、図５及び図６に示すように、略半円状の上下端面を有する中空板状に形成されている。この蓋部材４０の手摺受け部材３０の受け凹部３３と対向する面部には、受け凹部３３との間に固定部２１，２５が挟み込まれて挟持されるように構成された蓋凹部４１が設けられている。
【００４４】
より具体的には、蓋凹部４１は、固定部２１，２５の外周面部に沿うように設けられている。換言すると、蓋凹部４１は、受け凹部３３と共に固定部２１，２５を挟持する挟持面４２を構成するものである。この蓋凹部４１は、蓋凹部４１の高さ方向の全長に亘って設けられている。
【００４５】
また、蓋凹部４１の底部には、支柱８の貫通孔１５，１５にそれぞれ対応する位置に、蓋固定ネジ６と螺合可能な２つの有底状のネジ孔４３が形成されている。これにより、蓋部材４０は、手摺受け部材３０に対して取り外し可能に固定されている。
【００４６】
なお、手摺受け部材３０のネジ孔３７、及び蓋部材４０のネジ孔４３は、例えば、図５及び図６に示すように、手摺受け部材３０の受け凹部３３の底部、及び蓋部材４０の蓋凹部４１の底部に、抜け止め状態で回動不能に圧入された埋込ナット３８，４４の雌ネジにより形成される。また、手摺受け部材３０及び蓋部材４０は、例えば、ＡＢＳ、ＰＰ、ＰＳ等の硬質樹脂材料の他、アルミニウム、ステンレス鋼、亜鉛引き鋼板等の金属材料により形成することもできる。この場合、埋込ナット３８，４４を使用せずに、手摺受け部材３０及び蓋部材４０自体に雌ネジからなるネジ孔３７及びネジ孔４３をそれぞれ形成することもできる。
【００４７】
（手摺の取付構造）
次に、図３〜図６を参照しながら、手摺２０の取付構造Ｓを以下に説明する。この手摺２０の取付構造Ｓでは、図３に示すように、梯子本体１０の支柱８に固定されている手摺受け部材３０に、手摺２０の固定部２１，２５が手摺２０の全部を貫通する手摺固定ネジ７によりそれぞれ取付固定されている。より具体的には、図５及び図６に示すように、手摺受け部材３０のネジ孔３７に、固定部２１，２５の各貫通孔２２，２６に挿通された手摺固定ネジ７が螺合固定されている。これにより、手摺２０は、その固定部２１，２５において、手摺受け部材３０を介して支柱８の受け部１３に取付固定される。
【００４８】
また、図４に示すように、手摺受け部材３０に、蓋部材４０が手摺２０の全部を貫通する蓋固定ネジ６により取付固定されている。より具体的には、図５及び図６に示すように、蓋部材４０のネジ孔４３に、支柱８の貫通孔１５、手摺受け部材３０の貫通孔３６、及び固定部２１，２５の各貫通孔２３，２７の順に挿通された蓋固定ネジ６が螺合固定されている。これにより、蓋部材４０は、固定部２１，２５を覆うように、手摺受け部材３０に取り外し可能に固定される。
【００４９】
このように、固定部２１，２５には、固定部２１，２５の全部を貫通するように、各貫通孔２２，２６に支柱８の対向方向に手摺固定ネジ７が挿通される一方、各貫通孔２３，２７に該対向方向とは反対の方向に蓋固定ネジ６が挿通されている。
【００５０】
また、固定部２１，２５は、手摺受け部材３０の受け凹部３３と蓋部材４０の蓋凹部４１との間に挟み込まれて挟持されている。そして、受け凹部３３の挟持面３４、及び蓋凹部４１の挟持面４２と、各固定部２１，２５の外周面部との接触面積が十分に確保されている。
【００５１】
（手摺の取付作業手順）
次に、図３〜図６を参照しながら、梯子本体１０の各支柱８に手摺２０を取り付ける作業手順を以下に説明する。
【００５２】
準備作業として、まず、各支柱８の受け部１３に、手摺受け部材３０を固定する。より具体的には、各支柱８の貫通孔１４に支柱８，８が互いに離間する方向（図５では右方向）に挿通させた受け固定部材５を、手摺受け部材３０の固定孔３５に固定する。
【００５３】
続いて、受け部１３に取り付けられた手摺受け部材３０に、手摺２０を取付固定する。より具体的には、手摺２０の全部を貫通するように、手摺２０の下固定部２１の貫通孔２２に、支柱８，８の対向方向（図５では左方向）に挿通させた手摺固定ネジ７を、手摺受け部材３０のネジ孔３７に螺合固定する。上記と同様にして、上固定部２５の貫通孔２６に挿通させた手摺固定ネジ７を、ネジ孔３７に螺合固定する。これにより、各支柱８の受け部１３に、手摺受け部材３０を介して固定部２１，２５が取付固定される。
【００５４】
最後に、固定部２１，２５が取付固定された手摺受け部材３０に、蓋部材４０を取り付ける。より具体的には、手摺２０の全部を貫通するように、順に、各支柱８の貫通孔１５、手摺受け部材３０の貫通孔３６、及び固定部２１，２５の各貫通孔２３，２７に、支柱８，８が互いに離間する方向にそれぞれ挿通させた蓋固定ネジ６を、蓋部材４０のネジ孔４３に螺合固定する。これにより、手摺受け部材３０に、蓋部材４０が固定される。
【００５５】
以上の作業手順により、各支柱８に固定された手摺受け部材３０に、手摺２０及び蓋部材４０を取り付けることによって、各支柱８に手摺２０を取り付けることができる。
【００５６】
なお、手摺２０を各支柱８から取り外す場合は、上記と逆の手順を行なえばよい。
【００５７】
（効果）
以上のように構成される手摺の取付構造Ｓ及び手摺付き梯子１では、梯子本体１０の各支柱８の受け部１３に、各支柱８に固定された手摺受け部材３０を介して手摺２０の固定部２１，２５が取付固定されることにより、手摺２０が支柱８に取り付けられているため、手摺２０のぐらつきが低減される。また、受け部１３（手摺受け部材３０）と固定部２１，２５とは、手摺２０の全部を貫通する手摺固定ネジ７により、螺合固定されているため、手摺の取付構造Ｓが簡単である。従って、簡単な構造で手摺２０のぐらつきを抑制することができる。
【００５８】
また、手摺受け部材３０に取付固定された各固定部２１，２５を覆う蓋部材４０が、手摺受け部材３０に対して取り外し可能に固定されているため、各固定部２１，２５と共に、それを固定する手摺固定ネジ７を蓋部材４０の中に収容することができる。これにより、意匠性のみならず、手摺付き梯子１に要求される安全性の向上を図ることができる。
【００５９】
また、手摺受け部材３０の受け凹部３３と蓋部材４０の蓋凹部４１との間に各固定部２１，２５が挟み込まれて挟持されるように構成され、受け凹部３３の挟持面３４、及び蓋凹部４１の挟持面４２と、各固定部２１，２５の外周面部とが十分に接触している。これにより、固定部２１，２５近傍に過大な力が作用した場合であっても、この力を接触面全体に分散させることができるため、固定部２１，２５の破損を防止することができ、手摺付き梯子１に要求される安全性の向上をより一層図ることができる。
【００６０】
また、手摺２０の全部を貫通するように、各貫通孔２２，２６には、支柱８，８の対向方向に手摺固定ネジ７が挿通される一方、各貫通孔２３，２７には、該対向方向とは反対の方向に蓋固定ネジ６が挿通されているため、手摺２０の周方向の回転が抑制され、手摺２０のぐらつきがより一層低減される。
【００６１】
また、固定部２１，２５が手摺２０の両端にそれぞれ設けられているため、手摺付き梯子１に要求される安全性の向上をさらに図ることができる。
【００６２】
また、貫通孔２６，２７は、長孔に形成されているため、手摺２０が変形した場合であっても、支柱８の貫通孔１５、手摺受け部材３０の貫通孔３６及びネジ孔３７、並びに蓋部材４０のネジ孔４３との位置合わせが容易になり、支柱８に手摺２０を取付ける作業性の向上を図ることができる。
【００６３】
＜その他の実施形態＞
上記実施形態１では、支柱８に固定された手摺受け部材３０を介して、支柱８の受け部１３に手摺２０が取付固定されているが、これに限定されず、受け部１３に手摺２０が直接取付固定されていてもよい。この場合、受け部１３に蓋部材４０が直接取り付けられるようにすればよい。
【００６４】
上記実施形態１では、手摺２０と手摺受け部材３０との固定には、手摺固定ネジ７が用いられているが、これに限定されず、例えば、リベット等の手摺固定部材を用いることもできる。
【００６５】
上記実施形態１では、手摺２０の両端に固定部２１，２５が設けられているが、これに限定されず、少なくとも手摺２０の上端に上固定部２５が設けられていればよい。但し、手摺付き梯子１に要求される安全性の向上を図る観点から、手摺２０の両端に固定部２１，２５が設けられていることが好ましい。
【００６６】
上記実施形態１では、手摺２０の両端は、支柱８の側面に沿うように一直線上に同一方向に配置されているが、これに限定されず、該一直線上に配置されていればよく、該一直線上に異なる方向に配置されていてもよい。
【００６７】
上記実施形態１では、下固定部２１の貫通孔２２，２３，２３が円孔であり、上固定部２５の貫通孔２６，２７，２７が長孔になっているが、これに限定されず、貫通孔２２，２３，２３が長孔であり、貫通孔２６，２７，２７が円孔であってもよい。手摺２０のいずれの端部に長孔を形成するかどうかは、例えば、支柱８に手摺２０を取り付ける手順により決定すればよい。より具体的には、支柱８に手摺２０を取り付ける作業性を向上させる観点から、例えば、支柱８に先に取り付けられる側の端部の貫通孔が円孔に形成され、後に取り付けられる側の端部の貫通孔が長孔に形成されるように構成すればよい。
【００６８】
上記実施形態１では、手摺２０の断面は、略円形であるが、これに限定されず、略楕円形、略矩形、略多角形等でもよい。この場合、手摺受け部材３０の受け凹部３３と蓋部材４０の蓋凹部４１とを、手摺２０の外周面部に沿うように設ければよい。
【００６９】
上記実施形態１では、手摺受け部材３０及び蓋部材４０には、受け凹部３３及び蓋凹部４１がそれぞれ設けられているが、これに限定されず、手摺２０の各固定部２１，２５が収容可能な凹部が、手摺受け部材３０及び蓋部材４０のいずれか一方に設けられていればよい。但し、手摺付き梯子１に要求される安全性の向上を図る観点から、手摺受け部材３０及び蓋部材４０には、固定部２１，２５の外周面部に沿う受け凹部３３及び蓋凹部４１がそれぞれ設けられていることが好ましい。
【００７０】
上記実施形態１では、手摺付き梯子１は、ロフト梯子として使用されるものであるが、これに限定されず、例えば、垂直梯子や引込梯子等のような他の梯子にも適用可能である。
【産業上の利用可能性】
【００７１】
本発明は、種々の梯子に適用することができ、簡単な構造で手摺のぐらつきを抑制することができるため、産業上の利用可能性が高い。
【符号の説明】
【００７２】
Ｓ          手摺の取付構造
１          手摺付き梯子
５          受け固定ネジ（固定ネジ部材）
６          蓋固定ネジ（蓋固定ネジ部材）
８        支柱
１０        梯子
１３        受け部
２０        手摺り
２１        下固定部
２２，２３  貫通孔
２５        上固定部
２６，２７  貫通孔
３０        手摺受け部材
３１        受け凸部
３５，３６  貫通孔
３７        ネジ孔
４０        蓋部材
４１        蓋凹部
４３        ネジ孔
【図１】
2020143425.tif 000003
【図２】
2020143425.tif 000004
【図３】
2020143425.tif 000005
【図４】
2020143425.tif 000006
【図５】
2020143425.tif 000007
【図６】
2020143425.tif 000008